(57)【要約】【課題】簡易な構成で電池の小型化を図ることが可能な燃料電池を提供する。【解決手段】電池本体５と燃料タンク２０との間に、電池本体５側の表面を多孔質酸化膜３２とする燃料拡散層３を設ける。また、燃料タンク２０から燃料拡散層３へ供給される液体燃料２１を、多孔質酸化膜３２で拡散させるようにする。微細な空孔に起因した毛細管現象により、液体燃料２１が均一かつ広範囲に拡散してから気化し、電池本体５内の各電池セル５Ａ〜５Ｃへ供給される。燃料拡散層の電池本体５側の表面に、燃料供給位置から燃料拡散部の周縁部に向かって放射状に放射状に溝部を設け、重力方向にかかわらず毛細管現象を利用して液体燃料を溝部内で移動させ、姿勢差による重力の影響を抑えて液体燃料を均一に各発電部へ供給する。【選択図】図１
2008066275.tif 000002
【特許請求の範囲】
【請求項１】
発電部を含む電池本体と、
表面に多孔質酸化膜を有し、この多孔質酸化膜により液体燃料を拡散させて前記発電部へ供給する燃料拡散部と、
前記液体燃料を収容し、この液体燃料を前記多孔質酸化膜へ供給する燃料タンクと
を備えたことを特徴とする燃料電池。
【請求項２】
前記多孔質酸化膜の厚みが、前記液体燃料の拡散速度および保持量のうちの少なくとも一方に応じて調整されている
ことを特徴とする請求項１に記載の燃料電池。
【請求項３】
前記燃料拡散部における前記電池本体側の表面に、所定方向に沿った溝部が形成されている
ことを特徴とする請求項１に記載の燃料電池。
【請求項４】
前記溝部は、前記燃料タンクから液体燃料が供給される入口から前記燃料拡散部の周縁部に向かって放射状に形成されている
ことを特徴とする請求項３に記載の燃料電池。
【請求項５】
前記溝部の幅および断面形状の少なくとも一方は、前記入口からの距離に応じて調整されている
ことを特徴とする請求項４に記載の燃料電池。
【請求項６】
前記溝部は、前記入口から伸びる主溝部と、前記主溝部から分かれた分岐溝部とを有する
ことを特徴とする請求項４に記載の燃料電池。
【請求項７】
前記発電部で生じた熱を前記燃料拡散部へ伝導させる熱伝導部を備えた
ことを特徴とする請求項１に記載の燃料電池。
【請求項８】
前記多孔質酸化膜は、アルミニウムまたはその合金をアルマイト加工して形成されたものである
ことを特徴とする請求項１に記載の燃料電池。
【請求項９】
発電部を含む電池本体と、
液体燃料を収容する燃料タンクと、
前記電池本体側の表面に、前記燃料タンクから液体燃料が供給される入口から前記燃料拡散部の周縁部に向かって放射状に溝部が設けられた燃料拡散部と
を備えたことを特徴とする燃料電池。
【請求項１０】
前記溝部の幅および断面形状の少なくとも一方は、前記入口からの距離に応じて調整されている
ことを特徴とする請求項９に記載の燃料電池。
【請求項１１】
前記溝部は、前記入口から伸びる主溝部と、前記主溝部から分かれた分岐溝部とを有する
ことを特徴とする請求項９に記載の燃料電池。
【請求項１２】
燃料電池を内蔵する電子機器であって、
前記燃料電池は、
発電部を含む電池本体と、
表面に多孔質酸化膜を有し、この多孔質酸化膜により液体燃料を拡散させて前記発電部へ供給する燃料拡散部と、
前記液体燃料を収容し、この液体燃料を前記多孔質酸化膜へ供給する燃料タンクと
を有する
ことを特徴とする電子機器。
【請求項１３】
燃料電池を内蔵する電子機器であって、
前記燃料電池は、
発電部を含む電池本体と、
液体燃料を収容する燃料タンクと、
前記電池本体側の表面に、前記燃料タンクから液体燃料が供給される入口から前記燃料拡散部の周縁部に向かって放射状に溝部が設けられた燃料拡散部と
を有する
ことを特徴とする電子機器。
【請求項１４】
燃料タンクに収容される液体燃料を発電部へ供給するための方法であって、
前記液体燃料を多孔質酸化膜へ供給し、
前記多孔質酸化膜での毛細管現象によって前記液体燃料を拡散させ、
拡散された液体燃料を気化させて前記発電部へ供給する
ことを特徴とする燃料供給方法。
【請求項１５】
燃料タンクに収容される液体燃料を発電部へ供給するための方法であって、
前記液体燃料を燃料拡散部の入口へ供給し、
前記入口から前記燃料拡散部の周縁部に向かって放射状に形成された溝部での毛細管現象によって前記液体燃料を移動させ、
移動した液体燃料を気化させて前記発電部へ供給する
ことを特徴とする燃料供給方法。
【発明の詳細な説明】
【技術分野】
【０００１】
本発明は、水素と酸素との反応により発電を行う燃料電池、そのような燃料電池を内蔵する電子機器および燃料電池に適用される燃料供給方法に関する。
【背景技術】
【０００２】
燃料電池は、水素と酸素とを化学反応させることにより、水を生成すると共に電流を取り出すものである。この燃料電池は、燃料である水素の供給方式や反応機構によって、直接水素固体高分子型、直接メタノール型、燃料改質型、リン酸型、溶融固体高分子型、固体酸化物型などに分類される。
【０００３】
そのうち、近年では、メタノールを直接酸化する直接メタノール型燃料電池に関する研究開発が精力的に検討されるようになっている。燃料の取扱い性と高エネルギー密度化との両立が比較的容易だからである。
【０００４】
図２６は、従来の直接メタノール型燃料電池の構成例を断面構造で表したものである。この燃料電池１０１では、燃料タンク１２０内にメタノール水からなる液体燃料１２１が収容されている。燃料タンク１２０内の上方の中央部には燃料ポンプ１２２が設けられ、ノズル１２３を介して燃料拡散シート１０３に接続されている。また、この燃料拡散シート１０３の周囲は封止部１４１および分離シート１４２に覆われ、分離シート１４２の上方には複数の電池セル１０５Ａ〜１０５Ｃからなる電池本体１０５と、燃料漏れ防止シート１４３とが設けられている。この燃料電池１０１では、液体燃料１２１が燃料ポンプ１２２およびノズル１２３によって燃料拡散シート１０３へ充填され、この燃料拡散シート１０３において液体燃料１２１が拡散しつつ気化する。そして分離シート１４２において気化した燃料のみが電池セル１０５Ａ〜１０５Ｃへ到達して供給されることで、各電池セル１０５Ａ〜１０５Ｃにおいて発電動作がなされるようになっている。
【０００５】
また、例えば特許文献１には、所定形状の流路を設けて液体燃料を円滑に拡散できるようにした燃料電池が開示されている。
【０００６】
【特許文献１】特開２００６−１４０１５３号公報
【特許文献２】特開２０００−１０６２０１号公報
【発明の開示】
【発明が解決しようとする課題】
【０００７】
ところが、図２６に示した燃料電池では、燃料拡散シート１０３における液体燃料の拡散性が低いため、ノズル１２３から液体燃料１２１が供給された直後はこのノズル１２３付近でのみ液体燃料１２１の気化が生じ、その直上の電池セル（この場合、電池セル１０５Ｂ）だけに燃料が供給されてしまうという問題があった。したがって、当初は電池本体１０５のうちの一部分の発電セルのみが発電動作を行うため、位置ばらつきが生じると共に発電効率が低くなってしまうことになる。よって、このような位置ばらつきを抑えて気化した燃料を均一に拡散させるため、燃料拡散シート１０３上に所定の空間領域１４０が必要となり、燃料電池の小型化が困難であった。
【０００８】
一方、上記特許文献１では、所定形状の流路によって液体燃料を有効に拡散できる可能性があるものの、複雑な形状の流路を設ける必要があるため、製造コストが高くなってしまうことになる。
【０００９】
このように従来の燃料電池では、簡易な構成で電池の小型化を図ることが困難であった。
【００１０】
また、図２６に示した構成では、燃料電池の姿勢差により、燃料拡散シート１０３における液体燃料１２１の拡散が重力の影響を受けて不均一になってしまうという問題があった。例えば、燃料電池を水平に置いた場合は、図２７に示したように、液体燃料１２１は燃料拡散シート１０３の全体にほぼ均一に拡散する。しかし、燃料電池を垂直に置いた場合には、図２８に示したように、液体燃料１２１の拡散範囲は重力の影響を受けて下方に偏ってしまい、下方の電池セルだけに燃料が供給されてしまっていた。
【００１１】
そこで、例えば、不織布などの多孔質部材に液体燃料を毛管力により充満させて、重力の影響を解消することが考えられる（例えば、特許文献２参照。）。しかしながら、この方法では、不織布に充填させる液体燃料が多量に必要となるので、燃料供給を停止してもかなりの量の液体燃料が不織布に残ってしまい、燃料の気化を速やかに止めることができないという問題があった。
【００１２】
このように従来の燃料電池では、姿勢差による重力の影響を抑えて液体燃料を均一に各電池セルに供給することが困難であった。
【００１３】
本発明はかかる問題点に鑑みてなされたもので、その第１の目的は、簡易な構成で電池の小型化を図ることが可能な燃料電池、電子機器および燃料供給方法を提供することにある。
【００１４】
本発明の第２の目的は、姿勢差による重力の影響を抑えて液体燃料を均一に各発電部に供給することができる燃料電池およびこれを備えた電子機器を提供することにある。
【課題を解決するための手段】
【００１５】
本発明の第１の燃料電池は、発電部を含む電池本体と、表面に多孔質酸化膜を有し、この多孔質酸化膜により液体燃料を拡散させて発電部へ供給する燃料拡散部と、上記液体燃料を収容し、この液体燃料を多孔質酸化膜へ供給する燃料タンクとを備えたものである。
【００１６】
本発明の第２の燃料電池は、発電部を含む電池本体と、液体燃料を収容する燃料タンクと、電池本体側の表面に、燃料タンクから液体燃料が供給される入口から燃料拡散部の周縁部に向かって放射状に溝部が設けられた燃料拡散部とを備えたものである。
【００１７】
本発明の第１および第２の電子機器は、本発明の第１および第２の燃料電池をそれぞれ内蔵したものである。
【００１８】
本発明の第１の燃料供給方法は、燃料タンクに収容される液体燃料を発電部へ供給するための方法であって、液体燃料を多孔質酸化膜へ供給し、この多孔質酸化膜での毛細管現象によって液体燃料を拡散させ、拡散された液体燃料を気化させて発電部へ供給するようにしたものである。
【００１９】
本発明の第２の燃料供給方法は、燃料タンクに収容される液体燃料を発電部へ供給するための方法であって、液体燃料を燃料拡散部の入口へ供給し、入口から燃料拡散部の周縁部に向かって放射状に形成された溝部での毛細管現象によって液体燃料を移動させ、移動した液体燃料を気化させて発電部へ供給するようにしたものである。
【００２０】
本発明の第１の燃料電池および電子機器では、燃料タンクに収容される液体燃料が多孔質酸化膜へ供給される。この多孔質酸化膜では、多数の微細な空孔に起因した毛細管現象により、液体燃料が拡散する。そして拡散した液体燃料が気化し、発電部へ供給される。
【００２１】
本発明の第２の燃料電池および電子機器では、燃料タンクに収容される液体燃料は、燃料拡散部の入口に供給され、毛細管現象により放射状の溝部を伝って移動する。燃料拡散部が垂直に配置されている場合、液体燃料は重力に逆らって溝部内を上昇する。よって、姿勢差による重力の影響が抑えられ、液体燃料が各発電部に均一に供給される。
【発明の効果】
【００２２】
本発明の第１の燃料電池または電子機器によれば、表面を多孔質酸化膜とする燃料拡散部を設け、燃料タンクから燃料拡散部へ供給される液体燃料をこの多孔質酸化膜で拡散させるようにしたので、毛細管現象を利用して液体燃料を均一かつ広範囲に拡散させてから気化させ、発電部へ供給することができる。よって、簡易な構成で電池の小型化を図ることが可能となる。
【００２３】
本発明の第２の燃料電池または電子機器によれば、燃料拡散部の電池本体側の表面に、入口から燃料拡散部の周縁部に向かって放射状に放射状に溝部を設けるようにしたので、重力方向にかかわらず毛細管現象を利用して液体燃料を溝部内で移動させることができる。よって、姿勢差による重力の影響を抑えて液体燃料を均一に各発電部へ供給することができる。
【００２４】
本発明の第１の燃料供給方法によれば、燃料タンクに収容される液体燃料を多孔質酸化膜へ供給し、この多孔質酸化膜での毛細管現象によって液体燃料を拡散させ、拡散された液体燃料を気化させて発電部へ供給するようにしたので、気化した燃料を均一に拡散させることができる。よって、簡易な構成で電池の小型化を図ることが可能となる。
【００２５】
本発明の第２の燃料供給方法によれば、燃料タンクに収容される液体燃料を燃料拡散部の入口へ供給し、この入口から燃料拡散部の周縁部に向かって放射状に形成された溝部での毛細管現象によって液体燃料を移動させ、移動した液体燃料を気化させて発電部へ供給するようにしたので、燃料拡散部を垂直に配置した場合であっても、液体燃料を重力に逆らって溝部内を上昇させることができる。よって、姿勢差による重力の影響を抑えて液体燃料を均一に各発電部へ供給することができる。
【発明を実施するための最良の形態】
【００２６】
以下、本発明の実施の形態について、図面を参照して詳細に説明する。
【００２７】
（第１の実施の形態）
図１は、本発明の第１の実施の形態に係る燃料電池（燃料電池１）の断面構成を表すものである。なお、本発明の第１の燃料供給方法は、本実施の形態に係る燃料電池装置によって具現化されるので、以下、併せて説明する。
【００２８】
この燃料電池１には、液体燃料（例えば、メタノール水）２１を収容する燃料タンク２０が設けられ、この燃料タンク２０の上方には、電池本体５が設けられている。電池本体５は、水平方向に沿って配置された複数の電池セル５Ａ〜５Ｃを含んでいる。なお、燃料タンク２０は、例えば、液体燃料２１の増減によっても内部に気泡などが入らずに体積が変化する容器（例えばビニール袋など）と、この容器を覆う直方体形状のケース（構造体）とにより構成される。
【００２９】
各電池セル５Ａ〜５Ｃはそれぞれ、水素と酸素との反応により発電を行う直接メタノール型の発電部であり、電解質膜５２を介して燃料電極（アノード電極、負極）５１と酸素電極（カソード電極、正極）５３とが対向配置されている。酸素電極５３には図示しない空気供給ポンプが接続され、燃料電極５１は電池セル５Ａ〜５Ｃのうちの燃料タンク２０側に形成されている。なお、電解質膜５２は、例えばプロトン伝導体により構成される。
【００３０】
燃料タンク２０内には、その中央付近の上方に、燃料タンク２０内の液体燃料を吸引してノズル２３から排出させるための燃料供給ポンプ２２が設けられている。この燃料タンク２０と電池セル５Ａ〜５Ｃとの間、具体的には燃料タンク２０の上面には、ノズル２３から排出される液体燃料２１を層内で拡散させるための燃料拡散層３が形成されている。なお、ノズル２３は、燃料タンク２３および燃料拡散層３の一部を貫通し、燃料タンク２０内の液体燃料が燃料拡散層３へ供給されるようになっている。
【００３１】
図２は、燃料拡散層３の断面形状を詳細に表したものである。この燃料拡散層３は、金属層３１上（電池本体５側の表面）に多孔質酸化膜３２（膜厚：ｄ１）を有するものである。
【００３２】
金属層３１は、アルミニウム（Ａｌ）またはその合金により構成されている。多孔質酸化膜３２は、金属層３１に対して所定のアルマイト加工することによって形成されたものであり、酸化アルミニウム（Ａｌ2 Ｏ3 ）または酸化アルミニウム合金により構成されている。多孔質酸化膜３２には、図２に示したように、層間方向に沿って多数の微細な空孔（例えば、直径１０ｎｍ程度）が形成されている。なお、この多孔質酸化膜３２を形成する際のアルマイト加工の詳細については、後述する。
【００３３】
図１の説明に戻り、燃料タンク２０上における燃料拡散層３の周囲では、封止部４１が層間方向に延在している。燃料拡散層３の上方には、封止部４１に接続された分離シート４２が一様に形成され、気体と液体とを分離できるようになっている。なお、この分離シート４２は、例えばポリプロピレンベースの多孔質膜などにより構成される。
【００３４】
分離シート４２の上方には、前述の電池セル５Ａ〜５Ｃがそれぞれ配置されている。電池セル５Ａ〜５Ｃ間およびこれらと分離シート４２との間は、燃料漏れ防止部４３によって接続され、分離シート４２を通過してしまった液体燃料２１の漏れを防止できるようになっている。
【００３５】
この燃料電池１は、例えば次のようにして製造することができる。
【００３６】
まず、燃料供給ポンプ２２およびノズル２３が取り付けられた燃料タンク２０上に、例えばスパッタ法により、前述した材料よりなる金属層３１を形成する。
【００３７】
次に、この金属層３１に対して所定のアルマイト加工を施し、多孔質酸化膜３２を形成する。具体的には、まず、アルマイト加工用の前処理として、金属層３１に対して脱脂処理およびエッジング処理などを行い、金属層３１表面の油類や自然酸化膜を除去する。次いで、金属層３１に対してアルマイト処理（陽極酸化被膜処理）を施し、多孔質酸化膜３２を形成する。この際、例えば硫酸層や、クロム酸層、有機酸層、硝酸層、シュウ酸層またはホウ酸層などにおいて処理を行い、例えば１（Ａ／ｄｍ2 ）程度の直流電流を印加させて行う。また、上記酸層の温度は例えば２０℃程度に設定するが、この温度によって多孔質酸化膜３２の表面状態を調整することができる。また、温度を上昇させると液体燃料の拡散効果を強めることができるので望ましい。なお、このアルマイト処理の際の染色については任意の色を設定することができる。また、通常のアルマイト加工においては、この後封孔処理を行うが、本実施の形態のアルマイト加工においては封孔処理の全部または一部を省略して空孔を残し、完全には封孔処理を施さないようになっている。
【００３８】
最後に、このようにして形成された燃料拡散層３上に封止部４１および分離シート４２を設け、さらにその上に前述した材料よりなる電池本体５および燃料漏れ防止部４３を設けることにより、図１に示した燃料電池装置１が製造される。
【００３９】
この燃料電池装置１では、燃料タンク２０に収容される液体燃料２１が、燃料供給ポンプ２２およびノズル２３によって燃料拡散層３へ充填される。また、充填された液体燃料２１は、燃料拡散層３表面の多孔質酸化膜３２において拡散し、気化する。そして気化した燃料が分離シート４２を通過して各電池セル５Ａ〜５Ｃへ到達し、それらの燃料電極５１へそれぞれ供給される。一方、図示しない空気供給ポンプによって、各電池セル５Ａ〜５Ｃの酸素電極５３へ空気（酸素）が供給される。すると、各燃料電極５１において、反応により水素イオンと電子とが生成される。また、この水素イオンは電解質膜５２を通って酸素電極５３へ移動し、電子および酸素と反応して水が生成されると共に、二酸化炭素が副生成される。このようにして、燃料電池１において発電動作がなされる。
【００４０】
その際、多孔質酸化膜３２には上述した所定のアルマイト加工により微細な空孔が多数形成されているため、これらの微細な空孔に起因した毛細管現象によって、例えば図３（Ａ）および図４（Ａ）にそれぞれ断面図および平面図で示したように、多孔質酸化膜３２へ供給された液体燃料２１が、均一かつ広範囲に拡散する。なお、図３（Ａ）では、液体燃料２１が空孔の底部にまで一様に拡散しているが、多孔質酸化膜３２の表面の状況等によっては、液体燃料２１が空孔の底部にまでは拡散しない場合もありうる。
【００４１】
一方、図２６に示した従来の燃料電池１０１では、燃料拡散シート１０３へ供給された液体燃料１２１は、燃料拡散シート１０３上において液体燃料１２１の濡れ性が低いため、例えば図３（Ｂ）および図４（Ｂ）にそれぞれ平面図および断面図で示したように、本実施の形態の燃料電池１の場合と比べ、拡散する範囲が狭くなっている。
【００４２】
このようにして本実施の形態の燃料電池１では、多孔質酸化膜３２へ供給された液体燃料２１が均一かつ広範囲に拡散するので、その結果、気化した燃料がノズル２３の上方付近に偏らず、均一な状態で電池本体５へ供給される。
【００４３】
以上のように、本実施の形態では、電池本体５と燃料タンク２０との間に、電池本体５側の表面を多孔質酸化膜３２とする燃料拡散層３を設け、燃料タンク２０から燃料拡散層３へ供給される液体燃料２１をこの多孔質酸化膜３２で拡散させるようにしたので、微細な空孔に起因した毛細管現象を利用して液体燃料２１を均一かつ広範囲に拡散させてから気化させ、電池本体５内の各電池セル５Ａ〜５Ｃへ供給することができる。よって、気化した燃料を均一に拡散させるための空間領域や、液体燃料を拡散させるための複雑な形状の流路などが不要となり、簡易な構成で電池の小型化を図ることが可能となる。
【００４４】
また、アルミニウムよりなる金属層３１に対して所定のアルマイト加工を行うだけでよいので、安価な製造コストで実現することができる。
【００４５】
また、通常のアルマイト加工では、微細な空孔を形成した後にこれらの空孔をふさぐための封孔処理を施しているが、本実施の形態の多孔質酸化膜３２ではこの封孔処理を省くようにしたので、上記した効果を実現可能とすると共に、工程を１つ省くことにより、通常のアルマイト加工と比べてより簡単な方法で燃料拡散層３を形成することが可能となる。
【００４６】
また、多孔質酸化膜３２において液体燃料２１を拡散させた後、すぐに気化させることができるので、電池本体５における発電終了後に無駄な液体燃料２１を残存させてしまうことがなく、少量の液体燃料２１によって広範囲に供給することができる。よって、液体燃料２１の利用効率を向上させ、燃料電池１の発電効率も向上させることが可能となる。
【００４７】
さらに、多孔質膜となっているのがアルミニウム化合物の中でも最も安定な酸化アルミニウムなので、例えば液体燃料２１がメタノールである場合でも、メタノールによる膜の変質を防ぎ、経時的な劣化を回避することができる。よって、長時間経過した後においても安定した発電動作を行うことが可能となる。
【００４８】
なお、本実施の形態の燃料電池１では、例えば図５に示したような多孔質酸化膜３２Ａ（膜厚：ｄ２）を有する燃料拡散層３Ａのように、多孔質酸化膜の膜厚を、液体燃料２１の拡散速度や燃料保持量に応じて調整するようにしてもよい。このように構成した場合、本実施の形態における効果に加え、多孔質酸化膜の膜厚調整により、液体燃料２１の拡散速度や燃料保持量を最適な値に調整することが可能となる。また、この他にも、多孔質酸化膜の膜厚調整によって、燃料供給ポンプ２２の駆動能力や液体燃料２１の保水条件なども、最適な値に調整することが可能である。
【００４９】
以下、第１の実施の形態の変形例（第１〜第４）について説明する。
【００５０】
（第１の変形例）
例えば、平面図である図６（Ａ）およびそのＩＩ−ＩＩ面の矢視断面図である図６（Ｂ）にそれぞれ示した燃料拡散層３Ｂのように、燃料拡散層における電池本体５側の表面に、所定方向に沿った物理的加工による溝部３３（ここでは、複数の溝部３３１〜３３３からなる）を形成するようにしてもよい。このように構成した場合、例えば、図６（Ａ）に示したように、符号Ｐ１部分の液体燃料を図中の矢印のように溝部３３の延在方向に沿って選択的に拡散させることができ、上記実施の形態における効果に加え、液体燃料２１の拡散方向を任意に制御することが可能となる。なお、このような物理的加工による溝部の代わりに、多孔質酸化膜３２上に意図的にいわゆるアルマイトクラックを形成し、このアルマイトクラックを利用して液体燃料２１の拡散方向を制御するようにしてもよい。
【００５１】
（第２の変形例）
また、例えば平面図である図７（Ａ）およびそのＩＩＩ−ＩＩＩ面の矢視断面図である図７（Ｂ）にそれぞれ示した燃料拡散層３Ｃのように、燃料拡散層へ液体燃料２１を供給するためのノズルを複数設け、その数を増やすようにしてもよい（ここでは、５つのノズル２３１〜２３５からなる）。このように構成した場合、液体燃料２１の拡散性をより向上させ、液体燃料２１の利用効率および燃料電池１の発電効率をより向上させることが可能となる。
【００５２】
（第３の変形例）
また、例えば図８に示した燃料タンク２０Ａを有する燃料電池１Ａのように、燃料タンク自体をアルミニウムまたはその合金により構成し、その上面、すなわち電池本体５側の表面をアルマイト加工して、燃料タンクの表面に多孔質酸化膜を形成するようにしてもよい。このように構成した場合、燃料拡散層を別途形成する必要がなくなり、より簡単な構成で燃料電池のさらなる小型化を図ることが可能となる。
【００５３】
（第４の変形例）
さらに、例えば図９に示した燃料電池１Ｂのように、各電池セル５Ａ〜５Ｃと燃料拡散層３との間をそれぞれ接続する熱伝導部６Ａ〜６Ｃを設け、各電池セル５Ａ〜５Ｃで生ずる熱を燃料拡散層３へ伝導させるようにしてもよい。このように構成した場合、各電池セル５Ａ〜５Ｃで生ずる熱を利用して燃料拡散層３の温度を上昇させることができ、多孔質酸化膜３２での拡散効率をより向上させることが可能となる。また、この多孔質酸化膜３２は熱伝導率が高いアルミニウム酸化物により構成されているので、接続部６Ａ〜６Ｃから伝えられた熱を迅速に膜全体へ伝導させることができ、その効果は大きい。さらに、各電池セル５Ａ〜５Ｃで発生した熱を有効に再利用することができ、電池本体５での放熱を効率的に行うことができると共に、エネルギーを有効に再利用することが可能となる。
【００５４】
（第２の実施の形態）
図１０は、本発明の第２の実施の形態に係る燃料電池の燃料拡散層の構成を表したものである。この燃料電池は、燃料拡散層３Ｄの溝部３３の形状が異なることを除いては、上記第１の変形例および上記第１の実施の形態と同様に構成されている。よって、対応する構成要素には同一の符号を付して説明する。なお、本発明の第２の燃料供給方法は、本実施の形態に係る燃料電池装置によって具現化されるので、以下、併せて説明する。
【００５５】
燃料タンク２０，液体燃料２１，燃料供給ポンプ２２，電池本体５，封止部４１，分離シート４２，燃料漏れ防止部４３は、第１の実施の形態と同様に構成されている。
【００５６】
燃料拡散層３Ｄの構成材料は、特に限定されないが、例えばアルミニウム（Ａｌ）またはアルミニウム（Ａｌ）を含む合金が好ましい。高熱伝導性を活かして液体燃料２１の温度を瞬時に上昇させ、液体燃料２１の気化効率を向上させることができるからである。
【００５７】
燃料拡散層３Ｄの電池本体５側の表面には、多数の溝部３３が、燃料タンク２０から液体燃料２１が供給される入口ＩＬから燃料拡散部３Ｄの周縁部に向かって放射状に形成されている。これにより、この燃料電池では、溝部３３における毛細管現象を利用して、燃料電池の姿勢差による重力の影響を抑えて液体燃料２１を均一に各電池セル５Ａ〜５Ｃに供給することができるようになっている。
【００５８】
溝部３３の断面形状は特に限定されないが、例えば図１１に示した逆三角形（Ｖ字形）、図１２に示した矩形、または図１３に示した円あるいは楕円などの曲線（Ｕ字形）よりなる断面形状が好ましい。断面逆三角形の溝部３３は、先端の鋭角部３４が狭い部分となっており、この鋭角部３４に強力な毛細管現象を生じさせることができ、加工も容易である。断面矩形の溝部３３は、底面と側面とによる二つの角部３５を有しているので、一定の毛細管力を確保することができ、効率の良い燃料輸送が可能となる。断面曲線形状の溝部３３は、燃料輸送効率を重視する場合に好適であると共に加工も容易である。
【００５９】
更に、溝部３３は、図１４および図１５に示したように、深さ方向に複数（例えば二段階）の溝３３Ａ，３３Ｂを組合せた構成を有していてもよい。これにより、上述した各断面形状を複合し、それらの利点を更に活かすことが可能となる。溝３３Ａ，３３Ｂの断面形状も特に限定されず、また、溝３３Ａ，３３Ｂを同一の断面形状としてもよいし異なる断面形状としてもよい。例えば図１４に示したように、溝３３Ａ，３３Ｂを幅の異なる逆三角形の断面形状としてもよいし、図１５に示したように、溝３３Ａを円や楕円などの曲線よりなる断面形状とし、溝３３Ｂを逆三角形の断面形状としてもよい。
【００６０】
加えて、溝部３３は、図１６に示したように、燃料拡散層３Ｄの電池本体５側の表面に二つの突起３６を設け、この突起３６の間の隙間を溝部３３として構成したものであってもよい。この場合、突起３４の外側の隅部３７にも溝３３と同様の燃料輸送機能を持たせることが可能となる。
【００６１】
更にまた、燃料拡散層３Ｄは、図１７に示したように、溝部３３を設けた燃料輸送層３Ｄ１と、この燃料輸送層３Ｄ１の溝部３３が設けられた表面を覆う被覆層３Ｄ２とを有していてもよい。溝部３３の側面は緩斜面３８となっており、この緩斜面３８と拡散板３Ｄ２との間に挟まれた二つの鋭角部３４において効率良く毛細管現象を生じさせるようになっている。なお、溝部３３の断面形状は、図１７（Ｂ）に示したような二つの鋭角部３４を有するような双曲線状または逆三角形でもよいが、どちらか片側の鋭角部３４のみを有する形状でもよい。また、図１７（Ａ）では、左上の溝部３３に設けられた被覆層３Ｄ２のみを表しているが、被覆層３Ｄ２は、全ての溝部３３を覆うように設けられている必要がある。ただし、被覆層３Ｄ２は、少なくとも溝部３３を覆っていればよく、必ずしも燃料輸送層３Ｄ１の全面を覆っていなくてもよい。この被覆層３Ｄ２は、少なくとも溝部３３の終点を露出させるか、あるいは、少なくとも溝部３３の終点に、液体燃料２１の出口となる孔６１を有していることが望ましい。燃料輸送層３Ｄ１の入口ＩＬの周囲には、供給された液体燃料２１を一時的に貯留させるための燃料溜まり６２が設けられていてもよい。
【００６２】
図１０および図１７に示した溝部３３の本数、延長方向の長さおよび溝部３３の面内分布は、いずれも一例であり、燃料拡散層３Ｄの形状および寸法に応じて、液体燃料２１が燃料拡散層３Ｄの全体に行き渡るように設定することが望ましい。
【００６３】
燃料拡散層３Ｄは、図１８に示したように、第１の実施の形態の燃料拡散層３と同様に、金属層３１上（電池本体５側の表面）に多孔質酸化膜３２を有していることが好ましい。溝部３３により輸送された液体燃料２１を、多孔質酸化膜３２において拡散・気化させることができ、両者の相乗効果により更に高い効果を得ることができるからである。なお、溝部３３は、多孔質酸化膜３２の膜厚ｄ１よりも深く、金属層３１に達していてもよいし、多孔質酸化膜３２の膜厚ｄ１よりも浅くてもよい。図１８では、溝部３３の断面形状を逆三角形とした場合を表しているが、多孔質酸化膜３２が形成されている場合にも、溝部３３の断面形状は特に限定されない。
【００６４】
この燃料電池は、例えば次のようにして製造することができる。
【００６５】
まず、第１の実施の形態と同様にして、燃料供給ポンプ２２およびノズル２３が取り付けられた燃料タンク２０上に、上述した材料よりなる金属層３１を形成する。次いで、この金属層３１に対して、第１の実施の形態と同様にして所定のアルマイト加工を施し、多孔質酸化膜３２を形成する。
【００６６】
続いて、多孔質酸化層３２の表面に、例えばダイカット、エッチング、またはカッター等を用いた物理的加工により、入口ＩＬから周縁部に向かって放射状に多数の溝３３を設け、燃料拡散層３Ｄを形成する。
【００６７】
最後に、このようにして形成された燃料拡散層３Ｄ上に、第１の実施の形態と同様にして、封止部４１および分離シート４２を設け、更にその上に前述した材料よりなる電池本体５および燃料漏れ防止部４３を設けることにより、本実施の形態の燃料電池装置が製造される。
【００６８】
この燃料電池装置では、燃料タンク２０に収容される液体燃料２１は、燃料拡散層３Ｄに供給される。燃料拡散層３Ｄにおいて拡散し、気化した燃料が分離シート４２を通過して各電池セル５Ａ〜５Ｃへ到達し、それらの燃料電極５１へそれぞれ供給される。一方、図示しない空気供給ポンプによって、各電池セル５Ａ〜５Ｃの酸素電極５３へ空気（酸素）が供給される。すると、各燃料電極５１において、反応により水素イオンと電子とが生成される。また、この水素イオンは電解質膜５２を通って酸素電極５３へ移動し、電子および酸素と反応して水が生成されると共に、二酸化炭素が副生成される。このようにして、燃料電池において発電動作がなされる。
【００６９】
その際、燃料拡散層３Ｄの電池本体５側の表面に、入口ＩＬから周縁部に向かって放射状に多数の溝部３３が設けられているので、入口ＩＬに供給された液体燃料２１は、毛細管現象により放射状の溝部３３を伝って移動し、供給直後に、特別なポンプ等なしに、瞬時に燃料拡散層３Ｄの隅々まで行き渡る。よって、特許文献２のように均一な拡散のため、不織布などの多孔質部材に多量の液体燃料を充填させる必要はなくなり、また、発電中止の際には、燃料供給を中止すれば速やかに気化が止まる。従って、無駄な燃料供給が防止され、少量の液体燃料が有効に利用される。
【００７０】
また、燃料拡散部３３が垂直に配置されている場合、液体燃料２１は重力に逆らって溝部３３内を上昇する。よって、姿勢差による重力の影響が抑えられ、液体燃料２１が各電池セル５Ａ〜５Ｃに均一に供給される。これに対して、図２８に示した従来の燃料電池では、燃料電池が垂直に置かれた場合、燃料拡散シート１０３へ供給された液体燃料１２１の拡散範囲は、燃料の自重により下方に偏ってしまっていた。
【００７１】
更に、燃料拡散層３Ｄの表面には多孔質酸化膜３２が設けられているので、溝部３３を伝って移動した液体燃料２１は、溝部３３の側面から多孔質酸化膜３２に供給され、多孔質酸化膜３２の多数の微細な空孔に起因した毛細管現象により、均一かつ広範囲に拡散する。よって、溝部３３と多孔質酸化膜３２との相乗効果により、更に液体燃料２１が均一に拡散すると共に拡散範囲も拡大する。
【００７２】
なお、毛細管現象とは、液体中に入れた細い管の内部や固体壁間の狭い隙間などで、液面が外側の自由表面より上昇（下降）する現象である。管内の液面の上昇高さｈは、数１により与えられる。例えば、海水面高度で直径０．１ｍｍのガラス管内における水面の上昇高さｈを数１により計算すると、約２８ｃｍとなる。ただし、本実施の形態の溝部３３は管ではないので、溝部３３内の液面の上昇高さｈを、図１９に示したようにして実際に算出した。二枚のガラス板４０３Ａ，４０３Ｂの一辺を接触させ、その対向辺に厚み１．２ｍｍのスペーサ４０３Ｃを挟み、溝部３３に相当する断面逆三角形の隙間４３３を形成した。このガラス板４０３Ａ，４０３Ｂを、液体燃料２１に相当する着色水４２１を入れた水槽４２０内に立てて置いたところ、着色水４２１は隙間４３３内を上昇し、水槽４２０内の着色水４２１の水面から隙間４３３内の最高位置までの上昇高さｈは約６ｃｍとなった。
【００７３】
【数１】
2008066275.tif 000003
（式中、ｈは液面の上昇高さ（ｍ）、Ｔは表面張力（Ｎ／ｍ），θは接触角、ρは液体の密度（ｋｇ／ｍ3 ）、ｇは重力加速度（ｍ／ｓ2 ）、ｒは管の内径（半径）（ｍ）をそれぞれ表す。水の場合、表面張力Ｔは０．０７２８Ｎ／ｍ（２０℃），接触角θは２０℃、密度ρは１０００ｋｇ／ｍ3 であり、重力加速度ｇは９．８０６６５ｍ／ｓ2 とする。）
【００７４】
図２０は、間隙４３３の大きさを変えた場合の着色水４２１の上昇高さｈを数１に基づいて算出した結果を表したものである。図２０の計算結果と、図２１に示した隙間４３３における実際の水面の形状とは良好に一致しており、溝部３３に相当する隙間４３３内の水面の上昇が毛細管現象に基づくものであることが分かる。よって、ガラス板４０３Ａ，４０３Ｂに代えて、図２１に示したように、ガラス板５０３に溝部５３３を形成し、溝部５３３の延長方向を重力方向ｇに一致させるようにしてガラス板５０３を着色水４２１を入れた水槽４２０内に立てて置いた場合にも、図２２に示したように、溝部５３３内の水面の形状は、図１９および図２０に示した隙間４３３内の水面の形状と同様に、毛細管現象に従うものと考えられる。
【００７５】
このように本実施の形態では、燃料拡散層３Ｄの電池本体５側の表面に、入口ＩＬから周縁部に向かって放射状に多数の溝部３３を設けるようにしたので、燃料拡散部３３を垂直に配置した場合であっても、液体燃料２１を重力に逆らって溝部３３内を上昇させることができる。よって、姿勢差による重力の影響を抑え、液体燃料２１を各電池セル５Ａ〜５Ｃに均一に供給することができる。
【００７６】
また、入口ＩＬに供給した液体燃料２１を、毛細管現象により放射状の溝部３３を伝って移動させ、供給直後に、特別なポンプ等なしに、瞬時に燃料拡散層３Ｄの隅々まで行き渡らせることができる。よって、特許文献２のように均一な拡散のため、不織布などの多孔質部材に多量の液体燃料を充填させる必要はなくなり、また、発電中止の際には、燃料供給を中止すれば速やかに気化を止めることができる。従って、無駄な燃料供給を防止し、少量の液体燃料を有効に利用して発電を行うことができる。
【００７７】
特に、燃料拡散層３Ｄの電池本体５側の表面に多孔質酸化膜３２を形成したので、溝部３３で移送した液体燃料２１を多孔質酸化膜３２で更に均一かつ広範囲に拡散させてから気化させ、電池本体５内の各電池セル５Ａ〜５Ｃへ供給することができる。
【００７８】
なお、上記第２の実施の形態では、溝部３３の幅および断面形状が、延長方向全体にわたって同一である場合について説明したが、溝部３３の幅および断面形状の少なくとも一方は、入口ＩＬからの距離に応じて、毛細管力を高めるように調整されていてもよい。幅を調整する場合には、入口ＩＬからの距離が大きくなるほど幅が細くなっていることが必要である。入口ＩＬからの距離が大きくなるほど幅を太くすると液体燃料２１の輸送が不可能になるからである。例えば、図２３に示したように、溝部６３３は、入口ＩＬ側から順に、幅が複数段階（例えば、三段階）に異なる溝部６３３Ａ，６３３Ｂ，６３３Ｃを連結した構成を有し、これらの溝部６３３Ａ，６３３Ｂ，６３３Ｃの幅は、入口ＩＬからの距離が大きくなるほど細くなっていてもよい。なお、図２３では入口ＩＬから伸びる多数の溝部６３３のうち一本のみを表している。
【００７９】
また、上記第２の実施の形態では、溝部３３が枝分かれを有していない場合について説明したが、溝部６３３は、図２４に示したように、入口ＩＬから伸びる主溝部６３３１（溝部６３３Ａ）と、この主溝部６３３１から分かれた分岐溝部６３３２（溝部６３３Ｂ１，６３３Ｂ２および溝部６３３Ｃ１，６３３Ｃ２）とを有するようにしてもよい。この場合、分岐溝部６３３２の幅が、主溝部６３３１よりも細くなっているようにしてもよい。更に、分岐溝部６３３２内において、入口ＩＬからの距離が大きくなるほど幅が細くなっているようにしてもよい。なお、図２４では、入口ＩＬから伸びる多数の溝部６３３のうち一本のみを表している。
【００８０】
更に、図２５に示したように、分岐溝部６３３２において多段階の枝分かれを形成するようにしてもよい。このような場合にも、分岐溝部６３３２の幅が、主溝部６３３１よりも細くなっているようにしてもよい。更に、分岐溝部６３３２内において、入口ＩＬからの距離が大きくなるほど幅が細くなっているようにしてもよい。
【００８１】
以上、実施の形態を挙げて本発明を説明したが、本発明は、上記実施の形態に限定されるものではなく、種々変形することができる。例えば、上記実施の形態では、燃料電池の構成について具体的に説明したが、他の構造あるいは他の材料により構成するようにしてもよい。また、例えば、上記実施の形態において説明した各構成要素の材料および厚み、または燃料電池の発電条件などは限定されるものではなく、他の材料および厚みとしてもよく、または他の発電条件としてもよい。更に、例えば、液体燃料２１は、メタノールのほか、エタノールやジメチルエーテルなどの他の液体燃料でもよい。
【００８２】
加えて、本発明は、液体燃料を用いる燃料電池に限らず、水素など液体燃料以外の物質を燃料として用いる燃料電池についても適用可能である。
【００８３】
更にまた、上記実施の形態では、複数の電池セル５Ａ〜５Ｃを電気的に接続したものについて説明したが、本発明は、単セル型の燃料電池についても適用することができる。
【００８４】
加えてまた、上記実施の形態では、本発明を燃料電池およびそれを備えた電子機器に適用した場合について説明したが、本発明は、燃料電池以外にも、キャパシタ，燃料センサまたはディスプレイ等の他の電気化学デバイスにも適用することができる。
【００８５】
本発明の燃料電池は、例えば、携帯電話、電子写真機、電子手帳、ノートブック型パーソナルコンピュータ、カムコーダ、携帯型ゲーム機、携帯型ビデオプレーヤー、ヘッドフォンステレオまたはＰＤＡ（Personal Digital Assistants ）等の携帯型の電子機器に好適に用いることが可能である。このような電子機器では、燃料電池の小型化を簡易に実現することができるので、電子機器全体としても簡易に小型化を図ることができ、製造コストも低減することが可能となる。
【図面の簡単な説明】
【００８６】
【図１】本発明の第１の実施の形態に係る燃料電池の構成を表す断面図である。
【図２】図１に示した燃料拡散層の詳細な構成を表す断面図である。
【図３】液体燃料の拡散について従来例と比較しつつ説明するための断面図である。
【図４】液体燃料の拡散について従来例と比較しつつ説明するための平面図である。
【図５】多孔質酸化膜の膜厚調整について説明するための断面図である。
【図６】第１の変形例に係る燃料電池の構成を表す平面図および断面図である。
【図７】第２の変形例に係る燃料電池の構成を表す平面図および断面図である。
【図８】第３の変形例に係る燃料電池の構成を表す断面図である。
【図９】第４の変形例に係る燃料電池の構成を表す断面図である。
【図１０】本発明の第２の実施の形態に係る燃料電池の燃料拡散層を、溝部が形成された側から見た構成を表す平面図である。
【図１１】溝部の一例を表す断面図である。
【図１２】溝部の他の例を表す断面図である。
【図１３】溝部の更に他の例を表す断面図である。
【図１４】溝部の更に他の例を表す断面図である。
【図１５】溝部の更に他の例を表す断面図である。
【図１６】溝部の更に他の例を表す断面図である。
【図１７】燃料拡散層の他の構成を表す平面図および断面図である。
【図１８】燃料拡散層の更に他の構成を表す断面図である。
【図１９】溝部における毛細管力を調べるための実験を説明するための斜視図である。
【図２０】図１９に示した隙間の大きさを変えた場合の着色水の上昇高さの計算結果を表す図である。
【図２１】溝部における毛細管力を調べるための他の実験を説明するための斜視図である。
【図２２】図２１に示した溝部内における水面の形状を表す断面図である。
【図２３】溝部の更に他の例を表す断面図である。
【図２４】溝部の更に他の例を表す断面図である。
【図２５】燃料拡散層の更に他の例を表す断面図である。
【図２６】従来の燃料電池の構成を表す断面図である。
【図２７】従来の燃料電池の姿勢による燃料拡散の違いを説明するための平面図および断面図である。
【図２８】従来の燃料電池の姿勢による燃料拡散の違いを説明するための平面図および断面図である。
【符号の説明】
【００８７】
１，１Ａ，１Ｂ…燃料電池、２０，２０Ａ…燃料タンク、２１…液体燃料、２２…燃料供給ポンプ、２３，２３１〜２３５…ノズル、３，３Ａ〜３Ｃ…燃料拡散層、３１…金属層、３２，３２Ａ…多孔質酸化膜、３３…溝部、４１…封止部、４２…分離シート、４３…燃料漏れ防止部、５…電池本体、５Ａ〜５Ｃ…電池セル、５１…燃料電極（アノード極、負極）、５２…電解質膜、５３…酸素電極（カソード極、正極）、６Ａ〜６Ｃ…熱伝導部。
【図１】
2008066275.tif 000004
【図２】
2008066275.tif 000005
【図３】
2008066275.tif 000006
【図４】
2008066275.tif 000007
【図５】
2008066275.tif 000008
【図６】
2008066275.tif 000009
【図７】
2008066275.tif 000010
【図８】
2008066275.tif 000011
【図９】
2008066275.tif 000012
【図１０】
2008066275.tif 000013
【図１１】
2008066275.tif 000014
【図１２】
2008066275.tif 000015
【図１３】
2008066275.tif 000016
【図１４】
2008066275.tif 000017
【図１５】
2008066275.tif 000018
【図１６】
2008066275.tif 000019
【図１７】
2008066275.tif 000020
【図１８】
2008066275.tif 000021
【図１９】
2008066275.tif 000022
【図２０】
2008066275.tif 000023
【図２１】
2008066275.tif 000024
【図２２】
2008066275.tif 000025
【図２３】
2008066275.tif 000026
【図２４】
2008066275.tif 000027
【図２５】
2008066275.tif 000028
【図２６】
2008066275.tif 000029
【図２７】
2008066275.tif 000030
【図２８】
2008066275.tif 000031